(57)【要約】【課題】ナット本体の端面への方向転換部材の組立て、分解の作業性が向上し、組立てコストの削減を図ることができるボールねじ装置を提供する。【解決手段】ピン挿入穴２８に係合ピン３４を圧入すると、係合片スライド穴３０内に位置していた係合片３２が、係合ピン３４に押されて係合凹部２４内に移動する。これにより、ナット本体１４に対する方向転換部材１６の軸方向移動が拘束される。また、ピン挿入穴２８に圧入されている係合ピン３４を引き抜くと、係合片３２の係合片スライド穴３０側への移動が可能となり、係合凹部２４内の係合片３２を係合片スライド穴３０に移動すると、ナット本体１４に対する方向転換部材１６の軸方向移動が解除される。【選択図】        図７
2005042797.tif 000002
【特許請求の範囲】
【請求項１】
外周面にボールねじ溝を有するねじ軸と、このねじ軸のボールねじ溝に対応するボールねじ溝を内周面に有するボールナットと、互いに対向する前記ねじ軸のボールねじ溝及び前記ボールナットのボールねじ溝で形成したボール転動路を転動する多数のボールとを備え、前記ボールナットを、肉厚部に軸方向の貫通孔からなるボール戻し通路を有するナット本体と、このナット本体の軸方向の両端面の一部に固定し、前記ボール転動路及び前記ボール戻し通路とを連通させる湾曲路を有する方向転換部材とで構成したボールねじ装置において、
前記ナット本体の端面に、前記ボール転動路に通じ且つ前記ボール戻し通路の端部が開口し、前記方向転換部材を端面側から見たときの外観と同形状の座ぐり穴を形成し、この座ぐり穴に、前記ボール転動路及び前記ボール戻し通路を前記湾曲路で連通させて前記方向転換部材を挿入するとともに、
前記座ぐり穴の周縁の所定位置と、この所定位置に対向している方向転換部材の側面位置とのうちの一方の位置に係合凹部を設け、他方の位置に、前記係合凹部に向けて係合片を進退させる係合手段を設け、前記係合手段は、前記係合片を前記係合凹部に嵌め込むことで前記ナット本体に対する前記方向転換部材の軸方向移動を拘束し、前記係合片を前記係合凹部から退出させることで前記ナット本体に対する前記方向転換部材の軸方向移動の規制を解除するようにしたことを特徴とするボールねじ装置。
【請求項２】
前記係合手段は、前記他方の位置近くの端面に設けたピン挿入穴と、前記係合凹部に臨む位置で開口しつつ、前記ピン挿入穴と連通している係合片スライド穴と、前記係合凹部に向けて進退自在となるように前記係合片スライド穴内に配置され、前記ピン挿入穴の一部を閉塞している前記係合片と、前記ピン挿入穴に挿入することで、前記係合片を前記係合凹部に向けて押し出す係合ピンとを備えていることを特徴とする請求項１記載のボールねじ装置。
【発明の詳細な説明】
【０００１】
【発明の属する技術分野】
本発明は、ボールねじ装置に係り、特にボールナットの端部に方向転換部材を装着したボールねじ装置の改良に関する。
【０００２】
【従来の技術】
従来のボールねじ装置として、例えば特許文献１に記載の装置が知られている。この装置は、外周面にボールねじ溝を形成したねじ軸と、このねじ軸のボールねじ溝に対応するボールねじ溝を内周面に形成したボールナットと、互いに対向するねじ軸及びボールナットのボールねじ溝で形成したボール転動路を転動する多数のボールとを備えた装置である。ボールナットは、肉厚部に軸方向の貫通孔からなるボール戻し通路を有するナット本体と、このナット本体の両端面の一部に固定した方向転換部材（特許文献１ではエンドピースと称している）とで構成されている。
【０００３】
方向転換部材は湾曲路を設けた部材であり、ナット本体の端面に形成した座ぐり孔に配置し、湾曲路でボール転動路とボール戻し通路とを連通させている。そして、方向転換部材に設けたボルト挿通孔に取付けボルトを挿通し、取付けボルトを座ぐり穴の軸方向に設けたねじ穴に螺合することで、ナット本体の端面に方向転換部材を固定している。
【０００４】
【特許文献１】
実開平０５−３７１５号公報
【０００５】
【発明が解決しようとする課題】
ところで、上述した特許文献１の装置は、取付けボルトを使用して方向転換部材をナット本体の端面に固定しており、ドライバー等で締め付ける作業を行わなければならないので、組立てコストがかかり高価になるという問題がある。
また、図示しないが、例えば方向転換部材に突起を設けるとともに、ナット本体に凹部を設け、突起を凹部に圧入することで、取付けボルトを使用せずにナット本体の端面に方向転換部材を固定する構造が考えられる。
【０００６】
しかし、このような構造にすると、新たな方向転換部材に交換しようとしても、突起が凹部から簡単に外れず、方向転換部材の分解を容易に行うことができないので、分解作業性が悪くなる。
そこで、本発明は上記事情に鑑みてなされたもので、ナット本体の端面への方向転換部材の組立て、分解の作業性が向上し、組立てコストの削減を図ることができるボールねじ装置を提供することを目的とする。
【０００７】
【課題を解決するための手段】
したがって、本願発明のボールねじ装置は、外周面にボールねじ溝を有するねじ軸と、このねじ軸のボールねじ溝に対応するボールねじ溝を内周面に有するボールナットと、互いに対向する前記ねじ軸のボールねじ溝及び前記ボールナットのボールねじ溝で形成したボール転動路を転動する多数のボールとを備え、前記ボールナットを、肉厚部に軸方向の貫通孔からなるボール戻し通路を有するナット本体と、このナット本体の軸方向の両端面の一部に固定し、前記ボール転動路及び前記ボール戻し通路とを連通させる湾曲路を有する方向転換部材とで構成したボールねじ装置において、前記ナット本体の端面に、前記ボール転動路に通じ且つ前記ボール戻し通路の端部が開口し、前記方向転換部材を端面側から見たときの外観と同形状の座ぐり穴を形成し、この座ぐり穴に、前記ボール転動路及び前記ボール戻し通路を前記湾曲路で連通させて前記方向転換部材を挿入するとともに、前記座ぐり穴の周縁の所定位置と、この所定位置に対向している方向転換部材の側面位置とのうちの一方の位置に係合凹部を設け、他方の位置に、前記係合凹部に向けて係合片を進退させる係合手段を設け、前記係合手段は、前記係合片を前記係合凹部に嵌め込むことで前記ナット本体に対する前記方向転換部材の軸方向移動を拘束し、前記係合片を前記係合凹部から退出させることで前記ナット本体に対する前記方向転換部材の軸方向移動の規制を解除するようにした。
【０００８】
ここで、前記係合手段は、前記他方の位置近くの端面に設けたピン挿入穴と、前記係合凹部に臨む位置で開口しつつ、前記ピン挿入穴と連通している係合片スライド穴と、前記係合凹部に向けて進退自在となるように前記係合片スライド穴内に配置され、前記ピン挿入穴の一部を閉塞している前記係合片と、前記ピン挿入穴に挿入することで、前記係合片を前記係合凹部に向けて押し出す係合ピンとを備えていることが好ましい。
【０００９】
【発明の実施の形態】
以下、本発明に係るボールねじ装置の実施形態について図面を参照して説明する。
図１は、ボールねじ装置を示すものである。この装置は、外周面にボールねじ溝２を有するねじ軸４と、このねじ軸４のボールねじ溝２に対応するボールねじ溝６を内周面に有するボールナット８と、互いに対向するボールねじ溝２，６で形成したボール転動路１０を転動する多数のボールＢとを備えている。
【００１０】
ボールナット８は、肉厚部に軸方向の貫通孔からなるボール戻し通路１２を有するナット本体１４と、このナット本体１４の軸方向の両端面に設けた方向転換部材１６とで構成されており、ナット本体１４の一端側には、取付けフランジ１８が設けられている。
図２は、取付けフランジ１８側からボールナット８を示した図であり、方向転換部材１６は、係合手段２０によってナット本体１４の端面の一部に着脱自在に固定されている。
【００１１】
次に、ナット本体１４の端面に方向転換部材１６を着脱自在に固定する構造について図３から図７を参照しながら説明する。
図３は、方向転換部材１６が固定される前のナット本体１４の端面の形状を示すものであり、この端面には、方向転換部材１６を端面側から見たときの外観と同形状の座ぐり穴２２が形成されている。この座ぐり穴２２は、ボール転動路１０に通じているとともに、ボール戻し通路１２の開口部１２ａが底面で開口している。そして、この座ぐり穴２２の周縁２２ａの所定位置に、後述する係合片３２が嵌まり込む係合凹部２４が形成されている。
【００１２】
図４は、方向転換部材１６を端面から示した図であり、図５は、図４のＶ−Ｖ線矢視、即ち、方向転換部材１６の側面を示す図である。
この方向転換部材１６には、ボール転動路１０及びボール戻し通路１２に連通する湾曲路２５が形成されているとともに、ボール転動路１０を臨む位置にすくい上げタング２６が形成されている。また、すくい上げタング２６から離間する位置に、一方の端面１６ａで開口するピン挿入穴２８が形成されているとともに、方向転換部材１６の側面１６ｂに、ピン挿入穴２８と連通する係合片スライド穴３０が形成されている。そして、係合片スライド穴３０に、側面１６ｂから突出可能となるように係合片３２が配置されており、この係合片３２によりピン挿入穴２８の一部が閉塞されている。
【００１３】
そして、図６に示すように、上記構成の方向転換部材１６を、係合片スライド穴３０が係合凹部２４に対向するように座ぐり穴２２内に配置する。次いで、図７に示すように、ピン挿入穴２８に係合ピン３４を圧入する。係合ピン３４を圧入すると、係合片スライド穴３０内に位置していた係合片３２が、係合ピン３４に押されて係合凹部２４内に移動する。係合片３２が係合凹部２４内に移動すると、ナット本体１４に対する方向転換部材１６の軸方向移動が拘束され、ナット本体１４に方向転換部材１６が固定される。
【００１４】
また、ナット本体１４から方向転換部材１６を取り外すには、ピン挿入穴２８に圧入されている係合ピン３４を引き抜く。係合ピン３４を引き抜くと、係合片３２の係合片スライド穴３０側への移動が可能となるので、ナット本体１４を傾ける等により、係合凹部２４内の係合片３２を係合片スライド穴３０に移動し、ナット本体１４に対する方向転換部材１６の軸方向移動を解除することで、ナット本体１４から方向転換部材１６を取り外すことができる。
【００１５】
このように、ナット本体１４に方向転換部材１６を固定する場合には、ピン挿入穴２８に係合ピン３４を圧入し、係合片３２を係合凹部２４内に移動させる動作を行い、ナット本体１４から方向転換部材１６を取り外す場合には、係合ピン３４をピン挿入穴２８から引き抜き、係合片３２を係合凹部２４内から係合片スライド穴３０内に移動させる動作を行い、係合ピン３４の圧入、引き抜き動作を行うだけで、簡単に方向転換部材１６の着脱動作を行うことができる。
【００１６】
したがって、従来の装置のように、取付けボルトを使用して固定するために組立てコストがかかるといった問題や、方向転換部材の分解を容易に行うことができないといった問題を解消し、ナット本体１４の端面への方向転換部材１６の組立て、分解の作業性が向上し、組立てコストの削減を図ることができるボールねじ装置を提供することができる。
【００１７】
なお、前述したピン挿入穴２８、係合片スライド穴３０、係合片３２及び係合ピン３４が、請求項１記載の係合手段に相当する。
次に、図８及び図９は、本発明に係る他の実施形態を示すものである。なお、図１から図７と同一構成部分には、同一符号を付して説明を省略する。
図８に示す実施形態の方向転換部材３８は、一方の端面１６ａで開口するピン挿入穴４０が他方の端面１６ｃ側まで延在して形成されている。そして、他方の端面１６ｃ近くの側面１６ｂに、係合片スライド穴４２が形成されている。そして、係合片スライド穴４２に、側面１６ｂから突出可能となるように係合片３２が配置されており、この係合片３２によりピン挿入穴４０の一部が閉塞されている。
【００１８】
また、方向転換部材３８を座ぐり穴２２に配置したときに、係合片スライド穴４２に対向する座ぐり穴２２の周縁２２ａの所定位置に、係合凹部（図示せず）が形成されている。
そして、ピン挿入穴４０に長尺な係合ピン（図示せず）を圧入すると、係合片スライド穴４２内に位置していた係合片３２が、長尺な係合ピンに押されて係合凹部内に移動し、ナット本体１４に対する方向転換部材３８の軸方向移動が拘束され、ナット本体１４に方向転換部材３８が固定される。また、ピン挿入穴４０に圧入されている長尺な係合ピンを引き抜くと、係合片３２の係合片スライド穴４２側への移動が可能となるので、ナット本体１４を傾ける等により、係合凹部内の係合片３２を係合片スライド穴４２に移動し、ナット本体１４に対する方向転換部材３８の軸方向移動を解除することで、ナット本体１４から方向転換部材３８を取り外すことができる。
【００１９】
したがって、本実施形態も、図１から図７で示した実施形態と同様の作用効果を得ることができる。
図９に示す実施形態の方向転換部材４６は、図８と同様に、一方の端面１６ａで開口するピン挿入穴４０が他方の端面１６ｃ側まで延在して形成されている。そして、一方の端面１６ａ近くと、他方の端面１６ｃ近くの側面１６ｂに、２個の係合片スライド穴４８，５０が形成されている。そして、これら係合片スライド穴４８，５０に、側面１６ｂから突出可能となるようにそれぞれ係合片３２が配置されており、これら係合片３２によりピン挿入穴４０の一部が閉塞されている。
【００２０】
また、方向転換部材４６を座ぐり穴２２に配置したときに、各係合片スライド穴４８、５０に対向する座ぐり穴２２の周縁２２ａの所定位置に、２箇所の係合凹部（図示せず）が形成されている。
そして、ピン挿入穴４０に長尺な係合ピン（図示せず）を圧入すると、係合片スライド穴４８，５０内に位置していた係合片３２が、長尺な係合ピンに押されて２箇所の係合凹部内に移動し、ナット本体１４に対する方向転換部材４６の軸方向移動が拘束され、ナット本体１４に方向転換部材４６が固定される。また、ピン挿入穴４０に圧入されている長尺な係合ピンを引き抜くと、係合片３２の係合片スライド穴４８，５０側への移動が可能となるので、ナット本体１４を傾ける等により、係合凹部内の係合片３２を係合片スライド穴４８，５０に移動し、ナット本体１４に対する方向転換部材４６の軸方向移動を解除することで、ナット本体１４から方向転換部材４６を取り外すことができる。
【００２１】
本実施形態によると、２箇所の係合片スライド穴４８，５０から２箇所の係合凹部内へそれぞれ係合片３２が係合するので、ナット本体１４に対する方向転換部材４６の軸方向移動の拘束がさらに確実となるという効果を得ることができる。
なお、上記実施形態では使用する係合ピン３４の断面形状は、図７では略円形で示したが、これに限るものではなく、係合片スライド穴内に位置している係合片が、係合凹部内に所定の長さだけ嵌まり込み、係合片の移動を拘束すれ係合ピンであれば、断面形状が、楕円形状、半円形状、三角形状、四角形状であってもよい。
【００２２】
また、上記各実施形態では、ナット本体１４に係合凹部を設け、方向転換部材１６，３８，４６に係合手段（ピン挿入穴、係合片スライド穴、係合片及び係合ピン）を設けるようにしたが、逆の構造、即ち、ナット本体１４に係合手段を設け、方向転換部材に係合凹部を設けても、同様の効果を奏することができる。
【００２３】
【発明の効果】
以上説明したように、本発明のボールねじ装置は、ナット本体の端面に、ボール転動路に通じ且つボール戻し通路の端部が開口し、方向転換部材を端面側から見たときの外観と同形状の座ぐり穴を形成し、この座ぐり穴に、ボール転動路及びボール戻し通路を湾曲路で連通させて前記方向転換部材を挿入するとともに、座ぐり穴の周縁の所定位置と、この所定位置に対向している方向転換部材の側面位置とのうちの一方の位置に係合凹部を設け、他方の位置に、係合凹部に向けて係合片を進退させる係合手段を設け、係合手段は、係合片を係合凹部に嵌め込むことでナット本体に対する方向転換部材の軸方向移動を拘束し、係合片を係合凹部から退出させることでナット本体に対する方向転換部材の軸方向移動の規制を解除するようにしたことから、ナット本体の端面への方向転換部材の組立て、分解の作業性が向上し、組立てコストの削減を図ることができる。
【図面の簡単な説明】
【図１】本発明に係るボールねじ装置の概略を示す図である。
【図２】本発明に係るナット本体の端面に固定されている方向転換部材を示す図である。
【図３】本発明に係る方向転換部材を固定する前のナット本体に設けた座ぐり穴の形状を示す図である。
【図４】１実施形態としての方向転換部材を端面側から示した図である。
【図５】図４で示した方向転換部材を側面側から示した図である。
【図６】１実施形態としての方向転換部材をナット本体の座ぐり穴に配置した状態を示す図である。
【図７】１実施形態としての方向転換部材をナット本体に固定した状態を示す図である。
【図８】他の実施形態としての方向転換部材を示す側面図である。
【図９】図８と異なる形状の他の実施形態としての方向転換部材を示す側面図である。
【符号の説明】
２，６  ボールねじ溝
４  ねじ軸
８  ボールナット
１０  ボール転動路
１２  ボール戻し通路
１４  ナット本体
１６，３８、４６  方向転換部材
１６ａ  方向転換部材の一方の端面
１６ｂ  方向転換部材の側面
１６ｃ  方向転換部材の他方の端面
２０  係合手段
２２  座ぐり穴
２２ａ  座ぐり穴の周縁
２４  係合凹部
２５  湾曲路
２６  すくい上げタング
２８，４０  ピン挿入穴
３０，４２，４８，５０  係合片スライド穴
３２  係合片
３４  係合ピン
Ｂ  ボール
【図１】
2005042797.tif 000003
【図２】
2005042797.tif 000004
【図３】
2005042797.tif 000005
【図４】
2005042797.tif 000006
【図５】
2005042797.tif 000007
【図６】
2005042797.tif 000008
【図７】
2005042797.tif 000009
【図８】
2005042797.tif 000010
【図９】
2005042797.tif 000011